(57)【要約】【課題】  本発明はカラーとモノクロの印刷モードを持ち、両モードの切り替えを少なくする印刷出力方式を備えた印刷装置を提供する。【解決手段】  本発明によれば、制御部２１で出力スタッカ機構２７にする印刷出力を制御する。カラー又はモノクロの頁の種類を前頁と、印刷モードを現在のモードと比較する。頁の種類が同じで、印刷モードも同じときはそのまま印刷出力する。頁の種類が異なり、印刷モードが同じときはスタッカを１つ変えて印刷出力する。頁の種類が異なり、印刷モードが異なるときはスタッカ番号を１つ変えてデータとともに退避し記憶する。頁の種類が同じで印刷モードが異なるときは、スタッカ番号を変えずにデータとともに退避し、記憶する。退避データが残った場合は、最初に退避したデータから記憶されたスタッカ番号のスタッカにそれぞれ印刷出力する。【選択図】  図１
2005103994.tif 000002
【特許請求の範囲】
【請求項１】
第１の印刷モードで印刷処理すべき第１の印刷データと、第２の印刷モードで印刷処理すべき第２の印刷データとが混在する印刷ジョブを印刷する印刷装置において、
前記第１の印刷モードによる前記第１の印刷データの印刷処理中、前記第２の印刷モードで印刷すべき第２の印刷データが入力した場合、該第２の印刷データを一時記憶手段に待避させるデータ待避制御手段と、
前記第１の印刷モードによる印刷処理が完了すると、印字機構を前記第２の印刷モードに切り換える切換手段と、
前記印字機構の切り換え処理後、前記一時記憶手段に待避させた第２の印刷データに基づき、印刷処理を実行する印刷制御手段と、
モードの異なる印刷結果を異なるスタッカ上に分離して排出させる排出制御手段と、
を有することを特徴とする印刷装置。
【請求項２】
前記第１のモードはカラー印刷を行うモードであり、前記第２のモードはモノクロ印刷を行うモードであることを特徴とする請求項１記載の印刷装置。
【請求項３】
前記第１のモードは両面印刷を行うモードであり、前記第２のモードは片面印刷を行うモードであることを特徴とする請求項１記載の印刷装置。
【請求項４】
前記混在印刷データの頁順序に対応するスタッカの排出順序を示す表示手段を有することを特徴とする請求項１記載の印刷装置。
【請求項５】
複数のスタッカに出力された印刷結果の取り出し順序が正しく行われない時、警告を行うことを特徴とする請求項１、又は２記載の印刷装置。
【発明の詳細な説明】
【技術分野】
【０００１】
本発明はプリンタ装置等の印刷装置に係り、特にカラー印刷とモノクロ印刷の切り替え処理の際、又は両面印刷と片面印刷の切り替え処理の際における印刷出力制御及びスタッカ制御に関するものである。
【背景技術】
【０００２】
印刷装置として、例えばカラープリンタでは、カラー印刷とモノクロ印刷のモードを分けて印刷している。この印刷モードの切り替えは、それぞれの印刷のヘッド機構のアップ／ダウン切り替え動作などの複雑な制御があり時間がかかる。
例えば、カラーの頁とモノクロの頁が混在する複数頁の文書データの場合、単純に切り替え処理を行うと、カラー印刷とモノクロ印刷の切り替えは印刷中に複数回必要になる。この印刷モードの切り替えには時間を要す。
【０００３】
また、特許文献１は、画像形成装置において、画像形成時の高いスループットと装置の低ランニングコストを両立させる発明であり、記録媒体への画像形成時に、所定時間前に画像形成ジョブの要求する画像形成モードをリーダ部に問い合わせ、画像形成モード取得状態により、コントローラが複数の画像形成部の駆動状態を制御し、カラーモード及びモノクロモードを含む複数の画像形成モードの切り替えを行うものである。
【０００４】
また、特許文献２は、単一の駆動モータを用いてフルカラーモードとモノクロモードとの切り替えを簡易に行う感光ドラム機構の発明である。駆動選択部材の駆動軸での停止位置を変えることにより、カラー用感光ドラム又はモノクロ用感光ドラムのどちらかを駆動し、色ずれを防ぎ、簡易にモードの切り替えを行うことができる発明である。
【特許文献１】特開２０００−３５７０５号公報
【特許文献２】特開平７−１８１７７３号公報
【発明の開示】
【発明が解決しようとする課題】
【０００５】
しかしながら、上記特許文献１は、画像形成の効率化を図るもので、画像形成モードを複数の画像形成部に予め割り当てる方法であり、印刷装置の二者択一である印刷モードの印刷実施部分の固有の切り替え時間の対策ではない。また、特許文献２は、モノクロモードとカラーモードを切り替える機構技術であり、この技術は機構技術で主に色ずれ対策であり、切り替え時間短縮に係る発明ではない。
【０００６】
したがって、やはりカラーモードとモノクロモード切り替えは、ヘッド機構のアップ／ダウンなどにより時間がかかり問題である。特に、カラーとモノクロの混在文書を印刷する場合、印刷モードの切り替えを繰り返すので必要以上に印刷時間がかかる。この問題を回避する為、条件設定によりモノクロモードに移行を行わない手法があるが、この場合、コストダウンやモノクロモードでの印刷スピード等を犠牲にすることがある。
【０００７】
次に、複数の出力スタッカを持つプリンタ装置では、以下の問題がある。すなわち、複数のスタッカを持つため、１つのスタッカに印刷出力できる枚数に制限がある。例えば、縦にスタッカが複数並んで配設されている場合等である。したがって、１つのスタッカのスタック枚数を超える枚数の印刷出力は複数のスタッカに分割して出力する必要があり、どの出力スタッカに先頭頁や切り替わり頁が出力されたか、又どの順番でスタッカに出力されたかを知る為、出力内容を確認しなければならず、処理が煩雑になる。
【課題を解決するための手段】
【０００８】
上記課題は本発明によれば、第１の印刷モードで印刷処理すべき第１の印刷データと、第２の印刷モードで印刷処理すべき第２の印刷データとが混在する印刷ジョブを印刷する印刷装置において、前記第１の印刷モードによる前記第１の印刷データの印刷処理中、前記第２の印刷モードで印刷すべき第２の印刷データが入力した場合、該第２の印刷データを一時記憶手段に待避させるデータ待避制御手段と、前記第１の印刷モードによる印刷処理が完了すると、印字機構を前記第２の印刷モードに切り換える切換手段と、前記印字機構の切り換え処理後、前記一時記憶手段に待避させた第２の印刷データに基づき、印刷処理を実行する印刷制御手段と、モードの異なる印刷結果を異なるスタッカ上に分離して排出させる排出制御手段とを有する印刷装置を提供することによって達成できる。
【０００９】
ここで、前記印刷モードの内、例えば第１の印刷モードがカラー印刷モードであり、他の１つがモノクロ印刷モードである。また、前記印刷モードのうち１つが両面印刷モードであり、他の１つが片面印刷モードである。いずれの場合も適用できる構成である。
このように構成することにより、カラー印刷とモノクロ印刷の場合、カラー印刷を行っている間、モノクロ印刷の指定があるとモノクロ印刷を待避してカラー印刷を優先し、その後モノクロ印刷を行うことによって印刷モードの切り換え回数を減らすことができ、印刷速度を高速に行うことができる。
【００１０】
また、片面印刷中、両面印刷の指示があれば両面印刷のデータを待避し、同様にまとめて後に実行することによって効率よい印刷処理を行うことができる。
また、前記混在印刷データの頁順序に対応するスタッカの排出順序を示す表示手段を有する構成である。このように構成することにより、スタッカの排出順序が、例えば印刷装置のディスプレイに表示され、印刷結果を誤って認識することがない。
【００１１】
また、複数のスタッカに出力された印刷結果の取り出し順序が正しく行わない時、警告を行う構成である。このように構成することにより、誤った順序で印刷物を取り出すことを回避できる。
【発明の効果】
【００１２】
本発明によれば、カラーモードとモノクロモードの切り替え回数を少なくし、例えば１回のみにすることができるので、時間のかかるモードの切り替えによる時間ロスを無くすことができ、印刷速度の向上を図ることができる。
また、印刷ジョブ登録時に同じ印刷モードのジョブを並べるジョブ配置処理によりモード切り替えを少なくし、時間ロスを少なくすることができる。
【００１３】
また、印刷する物の順に対応する印刷されたもののスタッカの順を装置の表示部に表示するので、印刷物を１つにまとめやすい。
さらに、文書ファイルなどの印刷データを複数のスタッカに分割して出力する場合、全ての頁を取り除くまで、連続した頁以外の順番で用紙を取り除くと警告を発し、従って用紙の取り方による頁順序の誤りを無くすことができる。また、用紙取り出し時、他者の印刷物や別の印刷物の混入の可能性を大幅に低減することができる。
【発明を実施するための最良の形態】
【００１４】
以下、本発明の実施の形態を図面を参照しながら説明する。
（実施形態１）
図１は本例の印刷装置を含む印刷システムの構成図である。
同図において、ホスト機器１は、印刷コマンドや印刷データを送信するパーソナルコンピュータ（ＰＣ）等である。印刷装置２は上記ホスト機器１から印刷データを受信し、印刷データに基づいて用紙にカラー又はモノクロ印刷を行う装置である。
【００１５】
ホスト機器１の主記憶装置１１はメインメモリであり、入力装置１２はキーボードやマウス等であり、操作信号を主記憶装置１１に送信する。印刷ドライバ１３は、印刷データを印刷装置２に対応する中間コマンドに変換するドライバであり、印刷スプーラ１４は中間コマンドに変換された印刷データを出力制御する。
【００１６】
印刷装置２はカラー印刷、モノクロ印刷、及びその切り替え制御を行い、制御部２１は印刷装置２の全体制御を行う。また、各種データの記憶も行う。受信部２２は、ホスト機器１から送信された印刷データを受信する。
また、補助記憶部２４は各種データの記憶を行い、制御部２１とデータの送受信を行う。表示部２５は印刷出力のファイル名、後述するスタッカに関連する出力スタッカ順、スタッカ別の印刷物の頁範囲などの情報の表示を行う。また、入力操作部２６はユーザの操作入力を処理し、制御部２１とデータ、信号の送受信を行う。
【００１７】
印字機構部２３は出力スタッカ機構２７、及び両面印刷機構部２８で構成され、印字機構部２３は印刷を行う機構部分である。また、出力スタッカ機構２７は出力された印刷物を取り出せる状態で保持しておく機構であり、出力保持手段であるスタッカが複数配設されている。この出力スタッカ機構２７は制御部２１の制御により、印刷した複数枚の用紙を分割してそれぞれのスタッカに出力することができる。
【００１８】
また、出力スタッカ機構２７は、例えば複数部のコピーを行う場合、部数の各スタッカ毎に１部ずつ出力するといった用途に使用される。出力スタッカ機構２７のスタッカは、印刷出力された印刷物である用紙が取り除かれた場合、これを検出する不図示のセンサをそれぞれ持つ。このセンサは検出時に制御部２１に検出信号を送信する。
【００１９】
尚、両面印刷機構部２８は両面印刷を行うための印刷用紙の反転等の制御を行う機構部である。
図２は、上記印刷システムに使用される印刷装置２の模式図である。制御部２１はヘッド制御部３０とカラープロセス切替部３１を制御する。ヘッド制御部３０は印字ヘッド３２を制御することにより、カラー若しくはモノクロのヘッドを選択的に駆動して印刷処理を行う。カラープロセス切替部３１は、カラー感光体ドラム３３Ｍ、３３Ｃ、３３Ｙのプロセス作動、又はモノクロ感光ドラム３４のプロセス作動のどちらかの作動を選択的に行う。これにより印刷モードの切り替えを行う。また、プロセスの切替に応じたベルト３６の位置の変位検出も不図示のセンサで行う。
【００２０】
カラー印刷モードとモノクロ印刷モードの切り替えは、ベルト３６を上下駆動して行う。モノクロ印刷モード時ベルト３６を下げ、カラー印刷モード時ベルト３６を上げて印刷処理を行う。
転写ベルト３６の上下駆動は、後述する電磁クラッチ３８によって行う。尚、カラーの色は次の４色である。Kはブラックを示し、Yはイエローを示し、Cはシアンを示し、Mはマゼンダを示す。
【００２１】
図３に印刷装置２の印刷モード切り替え、及び両面印刷の機構図を示す。電磁クラッチ３８は図示する箇所に設置され、ベルト３６を上下に駆動する。両面印刷機構部２８は両面ユニット２９を含み、両面ユニット２９はオプションで取り付けることにより両面印刷を行うことができる。両面ユニット２９は、印刷装置２内の下部の搬送路を構成する。機構としては、印刷装置２全体の搬送路で１回転する要領で戻り、戻りの搬送路内のロール２９ａ〜２９ｅを駆動し、１回転後の用紙の未印刷面に裏面印刷を行う構成である。
【００２２】
次に本発明の具体的動作を示す。
図４に印刷データである印刷文書１の例を示す。カラーの頁とモノクロの頁が混在している。本例はこのようにカラーとモノクロが混在する印刷データの印刷処理時間を短くするものである。
【００２３】
図５は本例の出力順序、及び出力例を示す模式図であり、図６は本例の処理を説明するフローチャートである。先ず、制御部２１の印字機構部２３及び出力スタッカ機構２７への制御により、各スタッカへの印刷出力が行われる。尚、印刷装置２は、初期状態としてカラー印刷モードになっているものとする。
【００２４】
印刷文書１の第１頁は、図５に示すようにカラー印刷であるため、現在のカラー印刷モードと一致する。このため、印刷文書１の第１頁は通常の印刷出力であり、ここではスタッカ１に出力される。
次に、印刷文書１の第２頁は、前頁と同じカラー印刷である為、第１頁と同じスタッカ１を使用する。次に、印刷文書１の第３頁はモノクロであり、前頁と異なる為使用するスタッカ番号を１つずらし、スタッカ番号をスタッカ２とする。この第３頁はスタッカ２に出力され、制御部２１が記憶する。また、第３頁はモノクロで現在の印刷モードと異なるため、モノクロ印刷の設定を行う。つまり、この時点では印刷出力を行わない。
【００２５】
次に、印刷文書１の第４頁もモノクロである。したがって、前頁の第３頁と同じモノクロのため、使用するスタッカ番号を同じスタッカ２とし、制御部２１が記憶する。この場合も、第３頁と同様現在のカラー印刷モードと異なるため、印刷データを退避する。
次に、印刷文書１の第５頁はカラー印刷であり、前頁と異なるため、使用するスタッカ番号を１つずらしてスタッカ３とする。現在のカラー印刷モードと一致しているので印刷出力をスタッカ３に行う。さらに、印刷文書１の第６頁はモノクロ印刷である。これは、前頁のカラーと異なるので使用するスタッカ番号を１つずらしてスタッカ４とし、制御部２１が記憶する。
【００２６】
さらに、第６頁はモノクロ印刷であり、現在のカラー印刷モードとモードが異なるため、印刷を退避する。次の印刷文書１の第７頁は、モノクロ印刷であり、前頁の第６頁と同じモノクロであり、使用するスタッカ番号を前頁と同じスタッカ４とし、制御部２１が記憶する。
【００２７】
第７頁はモノクロ印刷であり、現在のカラー印刷モードと異なるため、印刷を退避し、次の第８頁も第７頁と同じモノクロである為、使用するスタッカ番号を前頁と同じスタッカ４とし、制御部２１が記憶する。
次に全頁の処理が終了すると、印刷装置２の制御部２１は退避したモノクロの頁の処理に移行する。先ず、退避した頁の存在を確認すると印刷モードを切り替える。カラー印刷モードからモノクロ印刷モードに切り替える。印刷文書１の第３頁はモノクロ印刷であり、現在のモノクロ印刷モードと一致しているので制御部２１に記憶しているスタッカ２に印刷出力する。印刷文書１の第４頁もモノクロ印刷であり、現在のモノクロ印刷モードと一致しているので制御部２１に記憶しているスタッカ２に印刷出力する。
【００２８】
さらに、印刷文書１の第６頁もモノクロ印刷であり、現在のモノクロ印刷モードと一致しているので制御部２１に記憶しているスタッカ４に印刷出力する。印刷文書１の第７頁もモノクロ印刷であり、現在のモノクロ印刷モードと一致しているので制御部２１に記憶しているスタッカ４に印刷出力する。さらに、印刷文書１の第８頁もモノクロ印刷であり、現在のモノクロ印刷モードと一致しているので制御部２１に記憶しているスタッカ４に印刷出力を行う。
【００２９】
結果的に図示されている出力順序２に示されている番号順に出力される。
したがって、印刷モードの切り替えは１回であり、通常時の３回より２回減り、印刷速度の向上が図れる。
尚、スタッカ記憶時にカラー／モノクロの印刷種別も記憶しておき、退避処理後に印刷モードとの照合を予め制御部２１で行って印刷してもよい。
【００３０】
さらに、印刷装置２は制御部２１で表示部２５に出力結果イメージ１のようにスタッカごとの印刷物の頁範囲やスタッカの頁順を表示する。制御部２１は、印刷文書１の頁順に並ぶように上のスタッカから頁順に並べて打ち出す印刷出力制御を行ったのである。よって、ユーザは、印刷出力の用紙を上から揃えることで文書の頁並びを間違えることなく印刷物を取得できる。
【００３１】
次に、上記処理を図６に示すフローチャートを用いて説明する。
印刷データを受け取った印刷装置２は、印刷データの先頭の頁が、現在の印刷装置２のカラー印刷モード又はモノクロ印刷モードに一致するかどうかを判断する（ステップ（以下、ＳＴで示す）１０１）。ここで、Ｙｅｓつまり一致していれば、現在のスタッカ番号に印刷出力を行う（Ｓ１０４）。一方、Ｎｏつまり一致していなければ、印刷しようとすると印刷モードの変更を行う必要が発生するため、ここでは印刷を実行せず頁のデータを補助記憶部２４に退避しておく。この補助記憶装置２４は印刷元のホストに保持されている補助記憶装置を用いてもよい（Ｓ１０２）。さらに、退避するデータには、現在のスタッカ番号を追加記録しておく（Ｓ１０３）。
【００３２】
以上の処理によって、１頁分のデータを処理した後、次の頁の処理を行う（Ｓ１０５）。先ず、次の頁があるか判断する（Ｓ１０６）。ここで、次の頁がある場合、前の頁と現在処理中の頁でカラー／モノクロの変化、つまり頁の種類の変化があるか判断する。カラー／モノクロの変化がなければ、判断（Ｓ１０７）に進む。一方、カラー／モノクロで変化があれば、つまり異なっていればスタッカ番号を＋１し（Ｓ１０８）、判断（Ｓ１０１）に戻る。
【００３３】
一方、上記（Ｓ１０６）の判断において、次の頁がない場合、退避された頁のデータの処理を行う為、退避された頁のデータがあるか判断する。そして、退避頁がない場合は処理を終了する（Ｓ１０９がＮＯ）。一方、退避頁がある場合、カラー／モノクロの印刷モード切り替えを行う（Ｓ１１０）。つまり、他方の印刷モードへ切り替えを行う。
【００３４】
その後、モードが切り替わったら、退避しておいたデータを追加記録されたスタッカ番号に印刷出力する（Ｓ１１１）。
以上、カラー／モノクロに関する印刷出力方式の説明を行ったが、両面印刷と片面印刷が混在する文書を印刷する場合にも搬送経路を変えるごとに待ち時間が発生する。よって、１枚毎に搬送路を切り替えて印刷するよりも、片面、両面それぞれをまとめて処理した方が高速処理できる。ゆえに、この処理を両面印刷及び片面印刷ごとにまとめて上記と同様の方式で印刷することにより、給紙待ちにかかる時間の軽減を図ってもよい。カラー／モノクロを両面／片面に変更することで適用できる。
【００３５】
尚、上記実施形態１では、頁がカラーとモノクロで入れ替わるたびにスタッカを切り替えている。一般的に印刷面を下にして出力することにより、頁順序を保つ場合は、下段のスタッカから始めて上段に向かってスタッカを切り替える。これにより、ユーザは印刷物を揃え易くなる。また、このようにしないと各スタッカから用紙を取り出すときに印刷順序を意識して取り出す必要が発生する。
【００３６】
また、実施形態１では、カラー／モノクロモードについて取り上げている。この他にも切り替えモードがあるものがある。例えば厚紙などを定着温度を高めて印刷するようなモードがある印刷装置では、厚紙と普通紙の切り替えで時間ロスが発生することがある。この場合も同様に制御することで印刷順序を変えることなく、印刷時間を短縮できる。
【００３７】
さらに、実施形態１では、頁がカラーとモノクロで入れ替わるごとにスタッカを切り替えている。しかし、印刷装置２が備えているスタッカの数は有限である。毎頁カラーとモノクロが切り替わるような文書では、スタッカの数が足りなくなる。この場合には、最後のスタッカまで指定、使用した場合は、本発明の制御を停止し、カラ−／モノクロモードの切り替えを通常どおり行うという制御機能を持つとする。つまり、最後まで頁のカラーとモノクロが変わるごとに印刷モードもその都度切り替わる制御に切り替える。
（実施形態２）
次に、本発明の実施形態２について説明する。
【００３８】
本例は印刷のジョブ登録に関してのものであり、ジョブを記録する場合、予めカラーページとモノクロページをそれぞれまとめて記憶する。それを後で一つにまとめる。
前述の図４の印刷文書１を処理する。１頁目はカラーの頁である。先頭の頁なのでスタッカもしくは排紙口を指定する排紙口選択コマンドをカラーページ登録専用ファイルに書き込む。ここでは、１番上のスタッカもしくは排紙口に印刷出力するコマンドを末尾にスタッカの順番の数字を付けて排紙口選択コマンド１とする。以下同様とする。
【００３９】
その後にカラーページのデータをカラーページ登録専用ファイルに書き込む。２頁目も前頁と同じカラーページであるのでデータをカラーページ登録専用ファイルの１頁目のデータの次に書き込む。
３頁目のデータはモノクロページで直前の２頁目のカラーページと異なるので、先ずスタッカを変える排紙口選択コマンド２をモノクロ登録専用ファイルに書き込む。次に３頁目のモノクロページのデータをモノクロ登録専用ファイルに書き込む。４頁目のデータは、直前の３頁目と同じモノクロページなのでそのまま３頁目に続けてモノクロ登録専用ファイルに書き込む。
【００４０】
５頁目のデータは、カラーページで直前の４頁目と異なるので、まず、スタッカを変える排紙口選択コマンド３をカラー登録専用ファイルに書き込む。次に５頁目のカラーページのデータをカラー登録専用ファイルに書き込む。
６頁目のデータは、モノクロページで直前の５頁目と異なるので、まず、スタッカを変える排紙口選択コマンド４をモノクロ登録専用ファイルに書き込む。次に６頁目のモノクロページのデータをモノクロ登録専用ファイルに書き込む。
【００４１】
７頁目のデータは、直前の６頁目と同じモノクロページなのでそのまま６頁目に続けてモノクロ登録専用ファイルに書き込む。８頁目のデータも、直前の７頁目と同じモノクロページなのでそのまま７頁目に続けてモノクロ登録専用ファイルに書き込む。
図７に頁のデータ処理が終わった状態の配置のカラーページ登録専用ファイルとモノクロページ登録専用ファイルを示す。カラーページ登録専用ファイルには１、２、５頁と排紙口選択コマンド１、２が登録されている。モノクロページ登録専用ファイルには３、４頁と排紙口選択コマンド２、４が登録されている。
【００４２】
頁のデータ処理を終え、ジョブ登録の終了となった後は、カラーページ登録専用ファイルとモノクロページ登録専用ファイルを１つに合成する。ここでは、カラーページ登録専用ファイルの後にモノクロページ登録専用ファイルを付ける形となる。図８に合成処理終了後のジョブファイルの印刷データの格納配置を示す。制御部２１はこのジョブファイルのデータ処理を図の左側から行っていく。
【００４３】
図９に実施形態２のジョブの分配と合成のフローチャートを示す。
制御コマンドによりジョブデータファイルとしての登録が宣言される（Ｓ２０１）。この宣言により、ジョブデータ登録用のファイルがオープンされる（Ｓ２０２）。カラーページとモノクロページをそれぞれ分けて一時登録できるようにカラーページ登録専用ファイル、モノクロページ登録専用ファイルを同時にオープンしておく（S２０３）。
【００４４】
１頁分のデータの印刷データをカラーデータの有り／無しで検査する（S２０４）。そして、１頁分のデータがモノクロのページであるかを判断する（S２０５）。ここで、頁がモノクロであった場合、先ず直前に登録処理を行った頁がカラーページかもしくは検査した頁が先頭頁かを判断する（S２０６）。そして、直前に登録処理を行った頁がカラーページ若しくは検査頁が先頭頁ならば、出力するスタッカつまり排紙口を変更するための排紙口選択コマンドをモノクロページ登録専用ファイルに書き込み、挿入する。但し、先頭頁の場合は、現状のスタッカに既出力の印刷物がなければ現状のスタッカに出力する排紙口選択コマンドでもよい（Ｓ２０７）。
【００４５】
続いてモノクロページのデータをモノクロページ登録専用ファイルに追記する。また、直前に登録処理を行った頁がモノクロであってモノクロページの連続であった場合も、同様にモノクロページのデータをモノクロページ登録専用ファイルに書き込む。これにより、１頁分のモノクロページの登録処理が完了する（Ｓ２０８）。
【００４６】
次に、上記判断（Ｓ２０５）で１頁分のデータがモノクロのページでなく、カラーのページであった場合、直前に登録処理を行った頁がモノクロページかもしくは検査した頁が先頭頁かを判断する（Ｓ２１２）。直前に登録処理を行った頁がモノクロページ若しくは検査頁が先頭頁ならば、出力するスタッカつまり排紙口を変更するための排紙口選択コマンドをカラーページ登録専用ファイルに書き込み、挿入する。但し、先頭頁の場合、現状のスタッカに既出力の印刷物がなければ現状のスタッカに出力する排紙口選択コマンドでもよい（Ｓ２１３）。
【００４７】
続いてカラーページのデータをカラーページ登録専用ファイルに追記する。また、直前に登録処理を行った頁がカラーであってカラーページの連続であった場合も、同様にカラーページのデータをカラーページ登録専用ファイルに書き込む。これにより、１頁分のカラーページの登録処理が完了する（Ｓ２１４）。
【００４８】
上記処理（Ｓ２０８）若しくは（Ｓ２１４）の処理を終えた後、ジョブデータの登録が終了か判断する。つまり、すべての頁をカラー／モノクロそれぞれの登録専用ファイルに振り分け終わったかを判断する。終了でない場合、処理（Ｓ２０４）に戻り、ジョブデータの登録を継続する（Ｓ２０９）。
【００４９】
そして、ジョブデータの登録が終了すると、カラーページ登録専用ファイルとモノクロページ登録専用ファイルを、処理中のジョブ登録として指定された本来のジョブファイルとして一つのファイルに合成する（Ｓ２１０）。また、オープンされている全てのファイルをクローズし、ジョブ登録を終了する（Ｓ２１１）。
【００５０】
尚、上記実施形態２では、カラー／モノクロに関する振り分けを行ったが、用紙サイズの異なるページが混在するジョブを両面印刷する場合にもページサイズが変わるごとに給紙待ちが発生する。この処理を各用紙サイズごとにまとめてジョブを登録することにより給紙待ちにかかる時間の軽減をはかってもよい。
【００５１】
また、実施形態２では、通常のジョブデータ記録時にカラー／モノクロの分配登録を行っているが、この処理を通常の印刷処理の妨げにならないようにプリンタのアイドル時間に行ってもよい。
（実施形態３）
次に、本発明の実施形態３について説明する。
【００５２】
本例は複数のスタッカに出力した印刷物の取り出しに関し、正しく行わないと警告処理を行う、もしくはガイダンスするものである。
図１０に本実施形態を説明する図を示す。例えば、１００頁の印刷文書２、出力結果イメージ３、出力スタッカ機構２７である。出力スタッカ機構２７の上限スタック枚数が２５枚であるとする。
【００５３】
１００頁の印刷文書である印刷文書２を印刷する。上限スタック枚数が２５枚であるため、１００頁を４つのスタッカに分割して２５頁ずつ出力する。このとき、他者の印刷物がスタッカ４に残留しているとする。したがって、制御部２１は次のように印刷出力し、またスタッカの出力順、スタッカごとの印刷物の頁範囲を記憶しておく。スタッカ１に印刷文書２の１頁から２５頁を印刷出力する。スタッカ２に印刷文書２の２６頁から５０頁を印刷出力する。スタッカ３に印刷文書２の５１頁から７５頁を印刷出力する。スタッカ５に印刷文書２の７６頁から１００頁を印刷出力する。
【００５４】
ここで、ユーザが任意のスタッカから用紙を取り除いたとき、出力スタッカ機構２７は、それぞれのスタッカにあるセンサで検知し、制御部２１に送信する。制御部２１は、印刷処理後に最初のスタッカからの取り除きを検知をしたとき、それがスタッカ１でない場合、印刷物の頁順通りでないので警告処理を行う。警告処理は、印刷装置２による鳴動、表示部２５のパネルに表示、ＬＥＤの点灯・点滅、ホスト１に通知して画面表示させるなどの手段があるがここでは、手法は問わない。正しい取り出しのスタッカ順や印刷物のスタッカごとの頁範囲を表示したりする。
【００５５】
続いて、ユーザが警告に従いスタッカ１から印刷用紙を取り除いたとする。このときの検知では、印刷文書２の印刷物の頁順通り初めのものを取り出したということで取り出し方が正しいので警告処理はない。
次にスタッカから用紙を取り除いたとき、出力スタッカ機構２７が検知し、制御部２１に送信する。制御部２１は、スタッカ１からの取り除きの後の検知がスタッカ２でない場合、印刷物の頁順通りでないので警告処理を行う。同様にスタッカ２の取り出しの後にスタッカ３が取り出されないときも警告処理を行う。
【００５６】
同様にスタッカ３から用紙を取り除いた後に、制御部２１に記憶しているスタッカの出力順通りにスタッカ５が取り出されないときも、印刷物の頁順通りでないので警告処理を行う。連続した頁で印刷物を取り出してもらうためである。例えば、上から順に取り出してきたのでそのまま他者の印刷の残留物があるスタッカ４を取り出してしまうと警告処理が行われる。
【００５７】
順番通りにスタッカの１、２、３、５から印刷文書２が取り出されると、印刷物の取り出しに関する警告処理は終了する。
なお、上記の例では、取り除いた用紙が連続していない時点で警告を発しているが、連続した頁が取り除かれても次はどのスタッカから用紙を取り除くべきかを制御部２１により表示部２５に表示してもよい。スタッカを表示又は、スタッカと印刷物の頁範囲を表示してもよい。次に取り出すべきものを表示又は、全体を順序付きで表示してもよい。これにより用紙の取り除く順序をガイダンスする。
【００５８】
次に図１１のフローチャートで実施形態３の警告処理を説明する。
出力スタッカ機構２７のスタッカから印刷出力である用紙が取り除かれたかどうかをスタッカ上のセンサで検出する。用紙が取り除かれない場合は、検出待ちとなる（Ｓ３０１）。
【００５９】
用紙が取り除かれたことが検出された場合、取り除かれた用紙が、前回取り除かれた頁から連続しているかを判定する。スタッカに印刷出力する時にスタッカと印刷物の頁範囲を関連して制御部２１に記憶しているのでそれから頁が連続しているか判定する。なお、印刷出力後、初めて用紙を取り除くことが検出されたときは、先頭頁を含む頁範囲が印刷出力されているスタッカから取り出したかの判定となる。制御部２１は、取り除かれたスタック、印刷物の範囲を記憶する（Ｓ３０２）。取り除かれた用紙が連続していない場合は、警告処理を行う。警告処理の内容については、上述した通りである。警告処理をした後は、処理はＳ３０１に戻る（Ｓ３０３）。
【００６０】
取り除かれた頁が連続している場合は、スタッカから印刷物の全頁分の取り除かれたかを判断する。取り除いた頁範囲の記憶より判定する。印刷物の全頁分を取り除かれていない場合は、Ｓ３０１の処理に戻る。印刷物の全頁分を取り除かれた場合は、処理を終了する（Ｓ３０４）。
【００６１】
尚、上記実施形態３では警告処理を繰り返し行う可能性を有しているが、警告処理を一度行った時点で処理を終了してもよい。また、出力する印刷物の印刷データは、複数のファイル、複数の文書等でも本実施形態を適用できる。
【図面の簡単な説明】
【００６２】
【図１】本発明の全体のブロック図である。
【図２】本発明の印刷装置の印刷モード切り替えの模式図である。
【図３】本発明の印刷装置の機構図である。
【図４】本発明の印刷文書の例である。
【図５】本発明のカラー／モノクロ混在の場合の印刷出力状態の例である。
【図６】実施形態１の処理を説明するフローチャートである。
【図７】カラー及びモノクロページ登録専用ファイルのデータ配置例である。
【図８】ジョブファイルのデータ格納配置の例である。
【図９】実施形態２の処理を説明するフローチャートである。
【図１０】複数のスタッカに出力した場合の印刷出力状態の例である。
【図１１】実施形態３の処理を説明するフローチャートである。
【符号の説明】
【００６３】
１  ホスト
１１  主記憶装置
１２  入力装置
１３  印刷ドライバ
１４  印刷スプーラ
２  印刷装置
２１  制御部
２２  受信部
２３  印字機構部
２４  補助記憶部
２５  表示部
２６  入力操作部
２７  出力スタッカ機構
２８  両面印刷機構部
２９  両面ユニット
３０  ヘッド制御部
３１  カラープロセス切替部
３２  ヘッド
３３  カラー感光ドラム
３４  モノクロ感光ドラム
３５  クリーニングブレード
３６  ベルト
３８  電磁クラッチ
【図１】
2005103994.tif 000003
【図２】
2005103994.tif 000004
【図３】
2005103994.tif 000005
【図４】
2005103994.tif 000006
【図５】
2005103994.tif 000007
【図６】
2005103994.tif 000008
【図７】
2005103994.tif 000009
【図８】
2005103994.tif 000010
【図９】
2005103994.tif 000011
【図１０】
2005103994.tif 000012
【図１１】
2005103994.tif 000013